(57)【要約】【課題】組立方式が簡便になり、接地効果が向上する電気コネクタを提供する。【解決手段】本考案に係る電気コネクタは、基部と、収容空間を形成して基部から延出する嵌合部とを有し、基部に収容空間と連通する第１溝及び第２溝が形成される絶縁本体と、絶縁本体の外周を覆うシールドケースと、絶縁本体に保持される第１保持部と、第１保持部から収容空間の方向に突出する第１接触部と、絶縁本体の外周まで延出する半田付け部とを含み、第１溝に収容される導電端子と、絶縁本体に保持される第２保持部と、第２保持部の一端から収容空間の方向へ延出する第２接触部とを含み、第２溝に収容されて前記導電端子と対向するように配置される接地端子とを具備する。接地端子は、第２保持部の他端から絶縁本体の外周方向へ折曲がって延出する弾性部を有し、弾性部には、第２保持部の他端と連接するための連接部と、シールドケースに当接するための当接部とが形成される。【選択図】図５
0003148520.tif 000002
【実用新案登録請求の範囲】
【請求項１】
基部と、収容空間を形成して前記基部から延出する嵌合部とを有し、前記基部に前記収容空間と連通する第１溝及び第２溝が形成される絶縁本体と、
前記絶縁本体の外周を覆うシールドケースと、
前記絶縁本体に保持される第１保持部と、該第１保持部から前記収容空間の方向に突出する第１接触部と、前記絶縁本体の外周まで延出する第１半田付け部とを含むとともに、前記第１溝に収容される導電端子と、
前記絶縁本体に保持される第２保持部と、該第２保持部の一端から前記収容空間の方向へ延出する第２接触部とを含むとともに、前記第２溝に収容されて前記導電端子と対向するように配置される接地端子と、
を含む電気コネクタにおいて、
前記接地端子は、前記第２保持部の他端から前記絶縁本体の外周方向へ折曲がって延出する弾性部を有し、
前記弾性部には、前記第２保持部の他端に連接するための連接部と、前記シールドケースに当接するための当接部とが形成されることを特徴とする電気コネクタ。
【請求項２】
前記接地端子は、前記当接部と前記第２接触部とが前記連接部の両端に配置されることを特徴とする、請求項１に記載の電気コネクタ。
【請求項３】
前記接地端子の弾性部は前記絶縁本体に保持される部分を有しないことを特徴とする、請求項１に記載の電気コネクタ。
【請求項４】
前記絶縁本体の嵌合部は、前記第２溝が形成された第２側壁を有し、前記第２側壁の外周には前記第２溝と連通するための収容溝が形成され、前記接地端子の弾性部の当接部は前記収容溝に収容され、前記接地端子の当接部と前記第２接触部とは前記第２側壁の両側にそれぞれ配置されることを特徴とする、請求項１〜３の何れか一項に記載の電気コネクタ。
【請求項５】
前記絶縁本体の基部の底面には凹溝が形成され、前記導電端子は前記第１保持部と前記第１半田付け部とを連接させるために前記凹溝に収容される位置決め部を有することを特徴とする、請求項４に記載の電気コネクタ。
【考案の詳細な説明】
【技術分野】
【０００１】
本考案はコネクタに関し、特に、接地端子を有する電気コネクタに関するものである。
【背景技術】
【０００２】
従来技術による電気コネクタは、特許文献１に示すように、絶縁本体と、絶縁本体に装着される複数の端子と、絶縁本体を覆うシールドケースと、を含む。絶縁本体は、長手方向に延在する基部と、基部から延出するように形成される嵌合部とを含み、前記複数の端子は、絶縁本体の基部によって保持される導電端子と接地端子とを有する。前記嵌合部は嵌合空間を有し、嵌合部の側壁に前記収容空間と連通し導電端子と接地端子とをそれぞれ収容するための端子溝が形成される。前記接地端子は、絶縁本体に保持された保持部と、前記保持部から嵌合空間へ突出するように配置される第１弾性アームと、保持部及び前記シールドケースを接続するための第２弾性アームとを有し、第１弾性アームと第２弾性アームとは上下左右方向に所定距離を離間している。接地端子が絶縁本体に装着された際に、前記第１弾性アームと第２弾性アームとが前記嵌合部の側壁の両側にそれぞれ位置する。
【特許文献１】台湾実用新案登録第３０５９７９号明細書
【考案の開示】
【考案が解決しようとする課題】
【０００３】
前記接地端子の保持部が第１弾性アームと第２弾性アームとに連接しているので、接地端子が絶縁本体に装着される際の挿入力が大きくなってしまい、この大き過ぎる挿入力によって、第１弾性アームと第２弾性アームとの間の絶縁本体が破損する恐れがあった。また、第２弾性アームが絶縁本体に部分的に保持されることで弾性的な変形が制限されてしまうので、シールドケースに安定して接続されない恐れもあった。そこで、上述した欠点に鑑みて、新型の電気コネクタを開発することが必要である。
【０００４】
本考案は、組立が簡便になり、接地効果が向上する電気コネクタを提供することを目的とする。
【課題を解決するための手段】
【０００５】
前記目的を達成するために、本考案によれば、基部と、収容空間を形成して基部から延出する嵌合部とを有し、前記基部に前記収容空間と連通する第１溝及び第２溝が形成される絶縁本体と、前記絶縁本体の外周を覆うシールドケースと、前記絶縁本体に保持される第１保持部と、第１保持部から前記収容空間の方向に突出する第１接触部と、前記絶縁本体の外周まで延出する第１半田付け部とを含み、前記第１溝に収容される導電端子と、前記絶縁本体に保持される第２保持部と、第２保持部の一端から前記収容空間の方向へ延出する第２接触部とを含み、前記第２溝に収容されて前記導電端子と対向するように配置される接地端子とを含む電気コネクタにおいて、前記接地端子は、前記第２保持部の他端から絶縁本体の外周方向へ折曲がって延出する弾性部を有し、前記弾性部には、前記第２保持部の他端に連接するための連接部と、前記シールドケースに当接するための当接部とが形成されることを特徴とする電気コネクタを提供する。
【考案の効果】
【０００６】
従来の技術と比べると、本考案には以下の長所がある。電気コネクタの接地端子がシールドケースと接続するための弾性部を有し、接地端子が第２保持部だけにより絶縁本体に保持されることで、接地端子が絶縁本体に装着される時の挿入力が小さくなり、組立が簡単になる。また、弾性部が優れた弾性変形をするので、シールドケースとの接続が安定し、接地効果が向上する。
【考案を実施するための最良の形態】
【０００７】
図１〜図８に基づいて、本考案の電気コネクタ１００についての実施形態を説明する。電気コネクタ１００は、絶縁本体１０と、絶縁本体１０の外周を覆うシールドケース２０と、絶縁本体１０に装着される複数の導電端子３０及び導電端子３０に対向するように配置される接地端子４０とを含む。
【０００８】
図１及び図２を参照すると、絶縁本体１０は長手方向に延在する基部１１と基部１１から上向きに延出するように配置される嵌合部１２とを含み、嵌合部１２は、対向するように配置される第１側壁１２１及び第２側壁１２２と、第１側壁１２１及び第２側壁１２２を連接するために対向するように配置される両端壁１２３とを有し、前記第１側壁１２１と第２側壁１２２と両端壁１２３とにより相手コネクタ（図示せず）を収容するための収容空間１３が形成され、収容空間１３の両端壁１２３に隣接した箇所には相手コネクタのガイドポストを収容するためのガイド溝５０が形成されている。
【０００９】
基部１１には回路基板（図示せず）に対向する底面１０２（図４に示す）が設けられ、嵌合部１２には基部１１の底面１０２と平行に配置される嵌合面１０１が設けられる。前記第１側壁１２１と第２側壁１２２とには前記収容空間１３と連通する第１溝１１０、第２溝１１１がそれぞれ形成され、前記第２側壁１２２には前記第２溝１１１と連通する収容溝１２４が形成される。基部１１の底面１０２には凹溝１２５が形成される。
【００１０】
図３を参照すると、シールドケース２０は絶縁本体１０の第１側壁１２１、第２側壁１２２、両端壁１２３の外側を覆う主体部２１を含み、主体部２１の端部には端壁１２３の内側に貼り付けられるように前記収容空間１３のガイド溝５０に延出した係合部２２が設けられ、主体部２１の側部には、絶縁本体１０の基部１１の底面１０２に支持されるための支持片２２１と、回路基板に半田付けされるための接続片２２２とが形成される。
【００１１】
前記導電端子３０は第１溝１１０に対応して装着され、絶縁本体１０に保持される第１保持部３０１と、第１溝１１０に収容される第１接触部３１と、第１保持部３０１の一端から延出する第１半田付け部３２と、第１保持部３０１及び第１接触部３１を連接するために凹溝１２５に収容される位置決め部３３と、を有する。
【００１２】
図４と図５を参照すると、接地端子４０は第２溝１１１に装着され、導電端子３０と対向するように配置される。接地端子４０は絶縁本体１０に保持される第２保持部４０１と、第２保持部４０１の一端から収容空間１３へ延出する第２接触部４１と、第２保持部４０１の他端から絶縁本体１０の外周方向へ折曲がって延出する弾性部４２と、を含む。前記弾性部４２はシールドケース２０に当接するための当接部４２１と、第２保持部４０１に連接するための連接部（参照記号なし）とを有し、前記連接部が絶縁本体１０の凹溝１２５に収容される。第２接触部４１と弾性部４２とは、絶縁本体１０の第２側壁１２２を挟んで両側にそれぞれ位置し、当接部４２１は前記収容溝１２４に収容されシールドケース２０に接続するための当接凸部を形成し、前記第２接触部４１は相手コネクタに接続するために収容空間１３へ突出する接触凸部を形成し、前記接触凸部は当接凸部と反対方向へ突出している。
【００１３】
組付けた電気コネクタ１００は、シールドケース２０の接続片２２２と導電端子３０の半田付け部３２とが回路基板に半田付けされることによって回路基板に実装される。従来技術と較べて、本考案の電気コネクタの接地端子４０の弾性部４２には保持部が設けられていないので、接地端子４０が絶縁本体１０に装着された時の挿入力が小さくなり、組立が簡便になっている。接地端子４０の弾性部４２は、保持部を持たないので、優れた弾性変形が可能になる。よって、シールドケース２０との接続が安定し、接地効果が向上する。
【００１４】
以上本考案について、好適な実施の形態を参照して詳細に説明したが、実施形態はあくまでも例示的なものであり、これらに限定されるものではない。また前記の説明に関し、本考案に基づきなしうる細部の修正或は変更などは、いずれも本考案の請求の範囲に属するものとする。
【図面の簡単な説明】
【００１５】
【図１】本考案に係る電気コネクタの分解斜視図である。
【図２】本考案に係る電気コネクタを他の角度から見た分解斜視図である。
【図３】本考案に係る電気コネクタの組立斜視図である。
【図４】図３に示す電気コネクタのＡ-Ａ線断面図である。
【図５】図３に示す電気コネクタのＢ-Ｂ線断面図である。
【図６】図３に示す電気コネクタの導電端子が装着されていない状態の底面図である。
【図７】図６に示す電気コネクタの破線で示される部分の拡大図である。
【図８】本考案に係る電気コネクタの接地端子の斜視図である。
【符号の説明】
【００１６】
１００  電気コネクタ
１０  絶縁本体
１１  基部
１２  嵌合部
１３  収容空間
１０１  嵌合面
１０２  底面
１１０  第１溝
１１１  第２溝
１２１  第１側壁
１２２  第２側壁
１２３  端壁
１２４  収容溝
１２５  凹溝
２０  シールドケース
２１  主体部
２２  係合部
２２１  支持片
２２２  接続片
３０  導電端子
３１  第１接触部
３２  第１半田付け部
３３  位置決め部
３０１  第１保持部
４０  接地端子
４１  第２接触部
４２  弾性部
４０１  第２保持部
４２１  当接部
５０  ガイド溝
【図１】
0003148520.tif 000003
【図２】
0003148520.tif 000004
【図３】
0003148520.tif 000005
【図４】
0003148520.tif 000006
【図５】
0003148520.tif 000007
【図６】
0003148520.tif 000008
【図７】
0003148520.tif 000009
【図８】
0003148520.tif 000010